(57)【特許請求の範囲】
【請求項１】
光輝材が配合された樹脂を射出して成形される樹脂成形品において、
一端部側から他端部側に樹脂が射出される本体部と、該本体部の一方の面に突設される立体部と、対向する一対の長辺を有し、前記立体部を支持するように前記本体部に突設される補強リブとを備え、前記本体部は長尺形状の矩形平板から成り、前記樹脂が前記本体部の長手方向に沿って流動するように形成され、前記立体部は前記本体部の長手方向端部に突設され、
前記補強リブが設置される前記立体部の設置面に対して前記一対の長辺を斜めに配置した時に前記樹脂の流動方向に沿って前記一対の長辺を直線状に結ぶ線分の寸法をｂとし、前記立体部の設置面に対して前記一対の長辺を垂直に配置した時の前記補強リブの長さ寸法をｃとし、前記立体部の設置面に対して前記一対の長辺を平行に配置した時の前記補強リブの幅寸法をｄとした場合に、前記補強リブは、条件ｄ＜ｂ＜ｃを充足するように、前記樹脂の流動方向に対して斜めに設けられていることを特徴とする樹脂成形品。
【請求項２】
前記補強リブは、前記一対の長辺が前記樹脂の流動方向に対して４５°の傾斜角度を成すように設けられている請求項１に記載の樹脂成形品。
【発明の詳細な説明】
【技術分野】
【０００１】
本発明は、シルバー色やパール色等のメタリック感を備えた樹脂成形品に関する。
【背景技術】
【０００２】
近年、自動車の内装品、パソコン等の電子機器や玩具等に用いられる樹脂成形品としては、意匠性向上のためにメタリック感を備えたものが用いられている。メタリック感を塗装によって付与した樹脂成形品の場合には、製造過程や車内や室内等において、揮発性有機化合物（ＶＯＣ）が発生し、環境や人体に影響を及ぼす可能性があることが指摘されている。
【０００３】
このため、予め着色材や光輝材を混練した着色樹脂を用いて成形することによりメタリック感を備えた無塗装の樹脂成形品が使用されている。この樹脂成形品は、アルミニウム顔料やパール顔料等の光輝材を樹脂に混練して配合したものを射出成形することにより成形される。しかし、この樹脂を用いてシルバー色やパール色などのメタリック感を有するように着色した樹脂材料を射出成形した場合、黒色や白色などのメタリック感の無い色(ソリッド色)に着色した樹脂材料を射出成形した場合と比較して、金型内の樹脂の流動の仕方によってアルミニウム顔料やパール顔料などの光輝材が配向するため、ソリッド色に着色した樹脂成形品では目視上見えなかったウエルドラインやヒケなどが発生して外観上の不具合が目立ちやすいものとなる。
【０００４】
例えば、図５や図７に示すように、長尺平面形状の本体部５１に対して、リブ、ボス、ツメ等となる立体部５２が垂直方向に突設された形状を有する樹脂成形品５０の場合、湯口５３から金型内に射出された樹脂が本体部５１の長手方向に沿って流動することにより成形が行われる。ここで、図５は、立体部５２が樹脂の流動方向５４に対して平行方向に延びている樹脂成形品５０の例を示し、図７の樹脂成形品５０は、立体部５２が樹脂の流動方向５４に対して直交方向に延びている樹脂成形品５０の例を示しており、これらの樹脂成形品５０では、立体部５２を設けた面の反対側の面が意匠面５５となる。
【０００５】
図５及び図７に示す樹脂成形品５０に対して光輝材を配合した樹脂により射出成形すると、図５の樹脂成形品５０では、図６に示すように、樹脂の流動方向５４に沿った立体部５２の延長線上の意匠面５５にウエルドライン５７が発生し、図７の樹脂成形品５０では、図８に示すように、立体部５２の設置箇所の意匠面５５にヒケ５９が発生する。そして、このようなウエルドライン５７やヒケ５９が意匠面５５に発生することにより樹脂成形品５０が不良品となる。
【０００６】
図９は、図５の樹脂成形品５０にウエルドライン５７は発生するメカニズムを示しており、図中、Ｌ１〜Ｌ５は樹脂が時間経過によって流動するフローラインを示している。図５に示すように、樹脂の流動方向５４に対して平行方向に立体部５２が設置される場合、立体部５２に射出圧力が十分に加わり、流動樹脂が立体部５２を充填しながら流動していく。このため、意匠面５５の立体部５２が設置してある部分は、立体部５２が設置されていない部分よりも樹脂流動が遅れ、Ｌ３，Ｌ４，Ｌ５のフローフロントのように立体部５２の設置部分で開合角を形成し、これによりウエルドラインが発生する。
【０００７】
また、図１０は、図７の樹脂成形品５０にヒケ５９が発生するメカニズムを示している。図１０に示すように、樹脂の流動方向５４に対して直交する方向に立体部５２が設置される場合、流動樹脂は一旦意匠面５５のみを充填し、立体部５２をほとんど充填することなく通過した後、徐々に立体部５２を充填する。このため、ウエルドラインは発生しないが、立体部５２内に射出圧力が加わり難く、樹脂の充填量が不足するため、ヒケ５９やショートショットが発生する。なお、このヒケやショートショットは、慣性力が作用しやすい状態、例えば、意匠面５５において立体部５２が設置してある部分を通過する流動樹脂の流動速度が高い場合ほど起こりやすいものである。
【０００８】
従来、上述したウエルドライン５７やヒケ５９を発生させないため、図１１に示す樹脂成形品６０のように、樹脂の流動方向５４と平行となるように立体部５２を本体部５１の側端側の端部に設けたり、或いは、図１２に示す樹脂成形品６０のように、樹脂の流動方向５４と直交するように立体部５２を本体部５１の終端側の端部に設けたりすることも行われている。このように立体部５２を本体部５１の端部に設けることにより、図９に示すような開合角の形成や、図１０に示すような樹脂の一旦通過現象が起きないため、外観不具合が発生することがない。
【０００９】
しかしながら、図１１及び図１２に示す構造を有する樹脂成形品６０では、立体部５２の強度が不足するため、樹脂成形品に対して補強リブを設ける必要がある。図１３は図１１の樹脂成形品６０に対して補強リブ７１を設けた樹脂成形品７０を示しており、図１３の樹脂成形品７０では、補強リブ７１が樹脂の流動方向５４と直交するように設けられている。また、図１４は図１２の樹脂成形品６０に対して補強リブ７１を設けた樹脂成形品７０を示しており、図１４の樹脂成形品７０では、補強リブ７１が樹脂の流動方向５４と平行となるように設けられている。すなわち、このように補強リブ７１を設けた樹脂成形品７０では、図９及び図１０によって説明した発生メカニズムと同様の理由から、図１５に示すように意匠面５５にヒケ５９が発生したり、図１６に示すように意匠面５５にウエルドライン５７が発生したりする。
【００１０】
また、従来、例えば、特許文献１や特許文献２に記載されているように、上述した樹脂成形時の不具合を成形に用いる材料によって防止する技術も提案されている。すなわち、特許文献１では、樹脂材料に添加する光輝材の形状や粒子径を選定することによりウエルドラインの発生を抑制しており、また、特許文献２では、光輝材の粒子径や添加量の選定とウエルド消去剤としての酸化チタン、酸化鉛、酸化亜鉛、酸化アンチモンを添加することによりウエルドラインの発生を抑制している。
【先行技術文献】
【特許文献】
【００１１】
【特許文献１】特開平８−４１２８４号公報
【特許文献２】特許第３５７１４０３号公報
【発明の概要】
【発明が解決しようとする課題】
【００１２】
しかしながら、上記した特許文献１及び２に記載された技術では、光輝材の形状、粒子径や添加量が制約されるため、光輝感やメタリック感などの質感が限定され、要求されるメタリック感が付与された樹脂成形品を成形することができないといった問題がある。
【００１３】
本発明は、上記した課題を解決すべくなされたものであり、光輝材に対する制約を必要とすることなく、構造上の面からウエルドラインやヒケの発生を防止することが可能な樹脂成形品を提供することを目的とする。
【課題を解決するための手段】
【００１４】
上記した目的を達成するため、本発明は、光輝部材が配合された樹脂を射出して成形される樹脂成形品において、一端部側から他端部側に樹脂が射出される本体部と、該本体部の一方の面に突設される立体部と、対向する一対の長辺を有し、前記立体部を支持するように前記本体部に突設される補強リブとを備え、前記本体部は長尺形状の矩形平板から成り、前記樹脂が前記本体部の長手方向に沿って流動するように形成され、前記立体部は前記本体部の長手方向端部に突設され、前記補強リブが設置される前記立体部の設置面に対して前記一対の長辺を斜めに配置した時に前記樹脂の流動方向に沿って前記一対の長辺を直線状に結ぶ線分の寸法をｂとし、前記立体部の設置面に対して前記一対の長辺を垂直に配置した時の前記補強リブの長さ寸法をｃとし、前記立体部の設置面に対して前記一対の長辺を平行に配置した時の前記補強リブの幅寸法をｄとした場合に、前記補強リブは、条件ｄ＜ｂ＜ｃを充足するように、前記樹脂の流動方向に対して斜めに設けられていることを特徴とする。
【００１６】
また、本発明に係る樹脂成形品において、前記補強リブは、前記一対の長辺が前記樹脂の流動方向に対して４５°の傾斜角度を成すように設けられているのが好ましい。
【発明の効果】
【００１７】
本発明によれば、ウエルドラインやヒケの発生を防止できるため、光輝材に対する制約を必要とすることがなく、良好なメタリック感を有した樹脂成形品を提供することができる。
【図面の簡単な説明】
【００１８】
【図１】本発明の一実施形態に係る樹脂成形品を示し、（Ａ）は斜視図、（Ｂ）は平面図である。
【図２】本発明の一実施形態に係る樹脂成形品を成形するための条件を説明する平面図である。
【図３】樹脂成形品を成形するために好ましくない条件を説明する平面図である。
【図４】本発明の他の実施形態に係る樹脂成形品を示し、（Ａ）は斜視図、（Ｂ）は平面図である。
【図５】従来の樹脂成形品の一例を示す斜視図である。
【図６】図５の樹脂成形品の問題点を示す斜視図である。
【図７】従来の樹脂成形品の他の例を示す斜視図である。
【図８】図７の樹脂成形品の問題点を示す斜視図である。
【図９】（Ａ）は図５の樹脂成形品に発生するウエルドラインのメカニズムを説明する底面図、（Ｂ）はＥ−Ｅ線断面図である。
【図１０】（Ａ）は図７の樹脂成形品に発生するヒケのメカニズムを説明する底面図、（Ｂ）はＦ−Ｆ線断面図である。
【図１１】ウエルドラインを発生させない従来の樹脂成形品の一例を示す斜視図である。
【図１２】ヒケを発生させない従来の樹脂成形品の他の例を示す斜視図である。
【図１３】補強リブを設けた従来の樹脂成形品の一例を示す斜視図である。
【図１４】補強リブを設けた従来の樹脂成形品の他の例を示す斜視図である。
【図１５】図１３の樹脂成形品の問題点を示す斜視図である。
【図１６】図１４の樹脂成形品の問題点を示す斜視図である。
【発明を実施するための形態】
【００１９】
以下、本発明の実施形態に係る樹脂成形品について図面を参照しつつ説明する。ここで、図１は本発明の一実施形態に係る樹脂成形品を示し、（Ａ）は斜視図、（Ｂ）は平面図、図２は本発明の一実施形態に係る樹脂成形品を成形するための条件を説明する平面図、図３は樹脂成形品を成形するために好ましくない条件を説明する平面図、図４は本発明の他の実施形態に係る樹脂成形品を示し、（Ａ）は斜視図、（Ｂ）は平面図である。
【００２０】
図１に示すように、樹脂成形品１は、長尺形状の矩形平板からなる本体部２と、本体部２の一方の面２ａの端部に突設された立体部３と、立体部３を支持するように本体部２の一方の面２ａに突設された補強リブ５とを備えて構成されている。この樹脂成形品１は、光輝材が配合された熱可塑性樹脂を金型内に射出することにより成形され、光輝材としては、アルミニウム顔料、パール顔料を始めとし、銅、ニッケル、マイカ、その他の金属光沢を有した材料を使用することができる。そして、この光輝材を配合することにより、樹脂成形品１にメタリック感を付与することができる。
【００２１】
立体部３は樹脂成形品１におけるリブ、ボス、ツメ等の機能部となるものであり、立体部３を設けた本体部２の一方の面２ａの反対側の面（裏面）が意匠面６となる。このような樹脂成形品１は、長尺形状の本体部２の長手方向における一端部側（始端部側）から他端部側（終端部側）に樹脂が金型内に射出されて成形されるものであり、樹脂が射出される湯口７が本体部２の長手方向の一端部に設けられている。符号８は樹脂成形品１を成形するための金型内での樹脂の流動方向を示しており、溶融樹脂は本体部２の長手方向に沿って流動するようになっている。そして、立体部３は、この樹脂の流動方向８の終端部に位置するように設けられ、矩形の平板形状を有し、本体部２の長手方向（すなわち、樹脂の流動方向８）に直交するように本体部２に突設されている。
【００２２】
補強リブ５は、立体部３に強度を付与するものであり、立体部３の設置面である樹脂の流動方向８側の面３ａ（以下「樹脂流動側の面３ａ」と言う。）に設けられ、立体部３と同様に本体部２の一方の面２ａに立体部３より突設されている。また、補強リブ５は、立体部３に対して一対に設けられており、いずれの補強リブ５も対向した一対の長辺１１を有し、直角三角形の平板形状を有している。一対の補強リブ５のそれぞれは、立体部３の樹脂流動側の面３ａに対して斜めに取り付けられており、立体部３側の基端部に対して先端部が相互に離間するように配置されている。
【００２３】
補強リブ５は、立体部３の樹脂流動側の面３ａに対する一対の長辺１１の傾斜角度αが０°＜α＜９０°の範囲となるように取り付けられ、傾斜角度αは４５°が最適である。一対の長辺１１の傾斜角度αを４５°とすることにより、流動樹脂の遅れがなくなって開合角を形成しなくなるため、ウエルドラインが発生するのを抑制することができると共に、射出される樹脂圧力が加わりやすくなるため、ヒケやショートショットが発生するのを抑制することができる。
【００２４】
次に、図２を参照しつつ、補強リブ５の一対の長辺１１が立体部３の樹脂流動側の面３ａに対して斜めとなるように配置された場合の補強リブ５の配置条件について詳細に説明する。
【００２５】
図２（Ａ）に示すように、樹脂の流動方向８に沿って流動する樹脂が補強リブ５を跨ぐ幅、すなわち、補強リブ５の一対の長辺１１を樹脂の流動方向８に沿って直線状に結ぶ線分１３の寸法をｂとし、図２（Ｂ）に示すように、立体部３の樹脂流動側の面３ａに対して垂直に一対の長辺１１を配置した場合の補強リブ５の長さ寸法をｃとし、図２（Ｃ）に示すように立体部３の樹脂流動側の面３ａに対して平行に一対の長辺１１を配置した場合の補強リブ５の幅寸法をｄと設定した場合に、線分１３の寸法ｂが、幅寸法ｄよりも大きく、長さ寸法ｃよりも小さくなるように補強リブ５を配置する（ｄ＜ｂ＜ｃ）。
【００２６】
このように線分１３の寸法ｂを補強リブ５の長さ寸法ｃよりも小さくすることにより、樹脂の流動方向８と平行な直線が補強リブ５の長辺１１方向と重なることがなくなる。このため、流動樹脂の遅れがなくなって開合角を形成することがなく、意匠面６にウエルドラインが発生するのを抑制することができる。
【００２７】
また、線分１３の寸法ｂを補強リブ５の幅寸法ｄよりも大きくすることにより、射出される樹脂圧力が加わりやすくなる。これにより、意匠面６にヒケやショートショットが発生するのを抑制することができる。
【００２８】
なお、図３の場合には、立体部３の樹脂流動側の面３ａに対する一対の長辺１１の傾斜角度αが０°＜α＜９０°の範囲となるように補強リブ５が取り付けられているが、樹脂の流動方向８と補強リブ５の対角線が重なり、ｂ＞ｃとなるため、ウエルドライン発生に対する抑制効果はない。
【００２９】
以上のように、補強リブ５が、条件ｄ＜ｂ＜ｃを充足するように、立体部３の設置面に対して斜めに設けられることにより、意匠面６にウエルドラインやヒケ又はショートショットが発生するのを抑制することができる。したがって、光輝材に対する制約の必要がなく、良好なメタリック感を有した良好な外観の樹脂成形品１を提供することができる。
【００３０】
なお、上記した実施の形態に係る樹脂成形品１では、一対の補強リブ５が、立体部３側の基端部に対して先端部が相互に離間するように樹脂流動側の面３ａに対して斜めに取り付けられているが、本発明はこの場合に限定されるものではない。すなわち、例えば、図４に示すように、一対の補強リブ５が、立体部３側の基端部に対して先端部が相互に接近するように樹脂流動側の面３ａに対して斜めに取り付けられていてもよく、この場合の樹脂成形品１Ａであっても、上述した条件ｄ＜ｂ＜ｃを充足するように、補強リブ５を立体部３の設置面に対して斜めに設けることにより、意匠面６にウエルドラインやヒケ又はショートショットが発生することを抑制し、良好な外観の樹脂成形品１Ａを提供することができる。
【００３１】
また、上記した実施の形態では、立体部３が樹脂の流動方向８の終端部に位置するように形成され、長尺形状の本体部２の長手方向の一端部側から他端部側に樹脂が金型内に射出されて成形される樹脂成形品１，１Ａについて説明したが、これは単なる例示に過ぎず、本発明は、例えば、立体部３が樹脂の流動方向８と平行となるように本体部２の側端側の端部に設けられている場合や、或いは、本体部２が円形板形状で立体部３が外周端部に設けられており、本体部２の中央から樹脂が放射状に金型内に射出されて成形される場合等、他の場合にも適用可能である。
【００３２】
さらに、上記した実施の形態では、補強リブ５は直角三角形の平板形状を成し、２個一対で設けられているが、補強リブ５の形状や設置数はこの場合に限定されるものではないことは言う迄もない。
【符号の説明】
【００３３】
１，１Ａ    樹脂成形品
２          本体部
２ａ        本体部の一方の面
３          立体部
３ａ        樹脂流動側の面（立体部の設置面）
５          補強リブ
８          樹脂の流動方向
１１        一対の長辺
１３        線分
【図１】
0005625523.tif 000002
【図２】
0005625523.tif 000003
【図３】
0005625523.tif 000004
【図４】
0005625523.tif 000005
【図５】
0005625523.tif 000006
【図６】
0005625523.tif 000007
【図７】
0005625523.tif 000008
【図８】
0005625523.tif 000009
【図９】
0005625523.tif 000010
【図１０】
0005625523.tif 000011
【図１１】
0005625523.tif 000012
【図１２】
0005625523.tif 000013
【図１３】
0005625523.tif 000014
【図１４】
0005625523.tif 000015
【図１５】
0005625523.tif 000016
【図１６】
0005625523.tif 000017